(57)【要約】【課題】良好な外観性が得られる携帯端末およびジャックを提供する。【解決手段】携帯端末１０は、矩形箱状の筐体１１と、筐体１１の内部２１および筐体１１の外部２２を連通する連通孔２３と、筐体１１に収容された筒状のジャック３０と、ジャック３０の内側面３５Ｄおよび外側面３５Ｅを連通する貫通孔３８と、ジャック３０の外側面３５Ｅにおいて貫通孔３８を覆う撥水シート３９とを備えている。筒状のジャック３０は、連通孔２３を通じてヘッドセット４０のプラグ４１が挿入可能なプラグ差込孔３２およびプラグ収容部３３を備えている。撥水シート３９は、空気が通過可能で、水が通過不能なシートである。【選択図】図３
2013131545.tif 000002
【特許請求の範囲】
【請求項１】
筐体と、
前記筐体の内外を連通する連通孔と、
前記筐体に収容され、前記連通孔を通じてヘッドセットのプラグが挿入可能な筒状のジャックと、
前記ジャックの内側面および外側面を連通する貫通孔と、
前記ジャックの外側面において前記貫通孔を覆う撥水シートとを備える携帯端末。
【請求項２】
内側面および外側面を連通する貫通孔を有し、前記外側面の貫通孔を撥水シートで覆うジャック。
【発明の詳細な説明】
【技術分野】
【０００１】
本発明は、筐体に形成した連通孔で筐体の内外を連通し、連通孔から筐体の内部に筒状のジャックを収容し、筒状のジャックに連通孔を通じてヘッドセットのプラグを挿入可能な携帯端末およびジャックに関する。
【背景技術】
【０００２】
携帯端末のなかには、筐体内に防水構造を形成し、防水構造の筐体内にジャックが収容され、ジャックにヘッドセットのプラグを挿入可能に構成されたものが知られている。
この携帯端末によれば、ヘッドセットのプラグが挿入可能なジャックの挿入孔が筐体の内外を連通する貫通孔から露呈され、貫通孔とジャックとの間がＯリングにより防水状態に保たれている。
さらに、ジャック自体は防水構造に形成されている。よって、ジャックの挿入孔を閉塞する部材は不要である（例えば、特許文献１）。
【先行技術文献】
【特許文献】
【０００３】
【特許文献１】特開平１０−２８４８５５号公報（請求項１、要約、図１）
【発明の概要】
【発明が解決しようとする課題】
【０００４】
しかし、特許文献１の携帯端末は、筐体内に防水構造を形成し、防水構造の筐体内にジャックが設けられ、貫通孔とジャックとの間がＯリングにより防水状態に保たれている。よって、防水構造に形成した筐体の空間が密封状態に保たれている。
このため、筐体の内部の容積が減少するような圧縮、捻り等の外力が筐体に加わった場合、筐体の他の箇所に設けられた部品が膨らんだり、あるいは筐体から部品が脱落する可能性や筐体内外の圧力差が生じて筐体内部の圧力が変動した場合に音響部品の性能が十分に発揮できないことがある。
【０００５】
このような問題に対して、筐体に空気が流通する孔を設けるとともに、孔の内側に撥水シートを貼付する構造が考えられる。
しかし、筐体に空気が流通する孔を設け、孔の内側に撥水シートを貼付した場合、孔が筐体から露出してしまい筐体の外観性が損なわれる。
【０００６】
本発明は、前述した課題を解決するためになされたものであり、その目的は、良好な外観性が得られる携帯端末およびジャックを提供することにある。
【課題を解決するための手段】
【０００７】
本発明の携帯端末は、筐体と、前記筐体の内外を連通する連通孔と、前記筐体に収容され、前記連通孔を通じてヘッドセットのプラグが挿入可能な筒状のジャックと、前記ジャックの内側面および外側面を連通する貫通孔と、前記ジャックの外側面において前記貫通孔を覆う撥水シートとを備える。
【０００８】
本発明のジャックは、内側面および外側面を連通する貫通孔を有し、前記外側面の貫通孔を撥水シートで覆うものである。
【０００９】
ジャックに貫通孔を形成してジャックの内側面および外側面を連通し、ジャックの外側面において貫通孔を覆う撥水シートを備えた。
撥水シートは、空気が通過可能で、水が通過不能なシートである。
撥水シートを水が通過不能とすることによりジャックを防水構造に形成できる。
【００１０】
また、撥水シートを空気が通過可能とすることにより、筐体に圧縮、捻り等の外力が加わって内部の容積が減少した場合に、筐体の内部の空気を貫通孔を経て筐体の外部に逃がすことができる。また、高層階のエレベータで上昇中や、標高の高い場所などでの気圧変化に対して、筐体内外の気圧を一定に保つことが出来る。
このように、ジャックに貫通孔や撥水シートを備えることにより、筐体の内部に水が浸入することを防止し、かつ、筐体の内部の圧力を好適に保つことができる。
【００１１】
さらに、筐体にジャックを収容し、ジャックに貫通孔を形成し、貫通孔を撥水シートで覆うように形成した。
これにより、貫通孔および撥水シートを筐体の内側に設けることが可能になり、筐体から貫通孔および撥水シートを露出させないようにできる。
【発明の効果】
【００１２】
本発明の携帯端末およびジャックによれば、ジャックに貫通孔および撥水シートを形成して貫通孔および撥水シートを筐体の内側に設けることにより、筐体から貫通孔および撥水シートを露出させないようにできるので筐体の外観性を良好に確保できる。
【図面の簡単な説明】
【００１３】
【図１】本発明に係る携帯端末を示す斜視図
【図２】図１のＩ−Ｉ線断面図
【図３】図２のジャックにプラグを挿入した状態を示す断面図
【図４】図２のジャックを示す斜視図
【発明を実施するための形態】
【００１４】
以下、本発明の実施形態に係る携帯端末およびジャックについて図面を参照して説明する。
【００１５】
図１に示すように、携帯端末１０は、矩形箱状の筐体１１を有しており、筐体１１の一面１１Ａには、表示部１２が設けられている。また、表示部１２の上端側にはスピーカ等の発音部１３を有し、表示部１２の下端側にはマイク１４を有する。
【００１６】
図２に示すように、筐体１１の壁部である一側面２０には、筐体１１の内部２１と筐体１１の外部２２とを連通する連通孔２３が設けられている。この連通孔２３の内側近傍において拡径されることにより段差部２４が形成されている。
また、筐体１１の内部２１には接続端子２６が設けられ、接続端子２６は回路基板に接続されている。
【００１７】
筐体１１の連通孔２３を経て筐体１１の内部２１に有底筒状のジャック３０が収容されている。
本発明のジャック３０は、奥側の端部が底部３１で閉塞され、筐体１１の一側面２０側の端部がプラグ差込孔３２で開口され、プラグ差込孔３２がプラグ収容部３３に連通されている。
【００１８】
すなわち、プラグ収容部３３は、プラグ差込孔３２および筐体１１の連通孔２３を経て筐体１１の外部２２に連通されている。
よって、プラグ差込孔３２からプラグ収容部３３に、ヘッドセット４０のプラグ４１（図３参照）を差し込むことができる。
【００１９】
さらに、プラグ収容部３３の側壁３３Ａにジャック端子３４が設けられ、ジャック端子３４が回路接続端子３４Ａに接続されている。
回路接続端子３４Ａを底部３１から内部２１に突出させることにより、回路接続端子３４Ａが内部２１の接続端子２６に接触されている。
【００２０】
図３に示すように、プラグ差込孔３２からプラグ収容部３３にプラグ４１を差し込むことにより、プラグ４１の各極４１Ａ、４１Ｂ、４１Ｃ、４１Ｄがジャック端子３４（図２参照）と接触して導通される。
よって、プラグ４１の各極４１Ａ、４１Ｂ、４１Ｃ、４１Ｄが、回路接続端子３４Ａおよび接続端子２６を介して回路基板に接続される。
【００２１】
図４に示すように、ジャック３０は、ジャック側壁３５が上部３５Ａ、下部３５Ｂおよび一対の側壁３５Ｃで形成され、プラグ収容部３３の奥側の端部が底部３１で塞がれている。
このジャック３０は、筐体１１の連通孔２３（図２参照）に対応する部位に段差部３６が形成され、段差部３６にＯリング３７が嵌合されている。
【００２２】
図２に示すように、Ｏリング３７はジャック３０の段差部３６および筐体１１の段差部２４間に介在される。よって、段差部３６および段差部２４間の隙間がＯリング３７で閉塞されることにより、筐体１１およびジャック３０間の防水性を確保できる。
これにより、筐体１１の外部２２から筐体１１およびジャック３０間の隙間を経て水が筐体１１の内部２１に浸入することを防止できる。
【００２３】
さらに、ジャック３０の下部３５Ｂには、Ｏリング３７より筐体の内側の部位に貫通孔３８が貫通されている。この貫通孔３８により下部３５Ｂの内側面３５Ｄおよび下部３５Ｂの外側面３５Ｅが連通されている。
図４に示すように、下部３５Ｂの外側面３５Ｅから撥水シート３９が貼り付けられることにより、撥水シート３９で貫通孔３８が覆われている。
【００２４】
撥水シート３９は、空気が通過可能で、水が通過不能なシートである。
このように、撥水シート３９を水を通過不能とすることにより、ジャック３０のプラグ収容部３３（図２参照）が防水構造に形成される。
よって、図２に示すように、プラグ差込孔３２、プラグ収容部３３および貫通孔３８を経て筐体１１の内部２１に水が浸入することを防止できる。
【００２５】
ここで、筐体１１に圧縮や捻り等の外力が加わった場合に、筐体１１の内部２１の容積が減少して内部２１の圧力が高くなることが考えられる。
そこで、撥水シート３９を空気を通過可能とした。よって、筐体１１に圧縮、捻り等の外力が加わって内部２１の容積が減少した場合に、筐体１１の内部２１の空気を貫通孔３８を経てプラグ収容部３３（すなわち、筐体１１の外部２２）に逃がすことができる。
【００２６】
なお、図３に示すように、ジャック３０のプラグ収容部３３にプラグ４１を差し込んだ状態においても、筐体１１の内部２１の空気を貫通孔３８を経てプラグ収容部３３（外部２２）に逃がすことができる。
よって、筐体１１の内部２１の圧力が上昇することを抑えることができる。これにより、筐体１１の他の箇所の部品が膨らんだり、あるいは筐体１１から部品が脱落することを防止できる。
【００２７】
このように、ジャック３０に貫通孔３８や撥水シート３９を備えることにより、筐体１１の内部２１に水が浸入することを防止し、かつ、筐体１１の内部２１の圧力を好適に保つことができる。
【００２８】
さらに、ジャック３０に貫通孔３８を形成して、貫通孔３８を撥水シート３９で覆うように構成することにより、貫通孔３８および撥水シート３９を筐体１１の内側に設けることができる。
これにより、筐体１１から貫通孔３８および撥水シート３９を露出させないようにできるので筐体１１の外観性を良好に確保できる。
【００２９】
また、ジャック３０に貫通孔３８や撥水シート３９を備えたので、筐体１１に貫通孔３８や撥水シート３９を備える必要がない。
よって、筐体１１に貫通孔３８を形成し、かつ、撥水シート３９を貼り付ける面積を確保する必要がなくなり、筐体１１の形状を決める際の設計の自由度が高められる。
【００３０】
なお、本発明に係る携帯端末およびジャックは、前述した実施形態に限定されるものではなく適宜変更、改良等が可能である。
例えば、前述した実施形態では、携帯端末１０の筐体１１に本発明を適用させた例について説明したが、これに限らないで、その他の電子機器の筐体に本発明を適用させることも可能である。
【００３１】
また、前記実施形態で使用した携帯端末、筐体、連通孔、貫通孔、撥水シート、ヘッドセットおよびプラグ等の形状や構成は例示したものに限定するものではなく適宜変更が可能である。
【産業上の利用可能性】
【００３２】
本発明は、筐体に連通孔を形成して筐体の内外を連通孔で連通し、連通孔から筐体に筒状のジャックを収容し、筒状のジャックに連通孔を通じてヘッドセットのプラグを挿入可能な携帯端末への適用に好適である。
【符号の説明】
【００３３】
１０  携帯端末
１１  筐体
２１  筐体の内部
２２  筐体の外部
２３  連通孔
３０  ジャック
３５Ｄ  下部の内側面（ジャックの内側面）
３５Ｅ  下部の外側面（ジャックの外側面）
３８  貫通孔
３９  撥水シート
４０  ヘッドセット
４１  プラグ
【図１】
2013131545.tif 000003
【図２】
2013131545.tif 000004
【図３】
2013131545.tif 000005
【図４】
2013131545.tif 000006